(57)【特許請求の範囲】
【請求項１】
固定部と、この固定部に取り付けられ、コイルをそれぞれ有する２つのソレノイドと、上記各コイルの中央空間に配置され各ソレノイドによって駆動される２つの可動鉄芯と、支持部を介して上記固定部に取り付けられ、上記可動鉄芯の交互の押し上げまたは引っ張り動作によって揺動する可動接点保持体と、この可動接点保持体の少なくとも一端側に配置される可動接点と、電源端子に接続され、上記可動接点に対向し、上記可動接点が接離する固定接点とを有する電磁接触器において、上記可動接点保持体を断面Ｔ字形とし、そのＴ字を構成する各線の交点部分もしくはその近傍を上記可動接点保持体の揺動支点とし、上記Ｔ字の下方に突き出た先端部分に板バネの一端を突き当て、その先端部分と共に揺動可能とし、上記板バネの他端を上記固定部に位置保持されるように突き当て、上記可動接点と上記固定接点とが接触した位置と、上記両接点が非接触となる位置の２位置を上記板バネによって交互に保持させるようにしたことを特徴とする電磁接触器。
【請求項２】
前記揺動支点と、前記板バネの前記固定部に位置保持される前記他端が接する部分との間の長さを、前記ソレノイドの高さにそのソレノイドによって動作する可動鉄芯の動作方向において上記可動鉄芯が前記ソレノイドから突出する部分を加えた長さより短くしたことを特徴とする請求項１記載の電磁気接触器。
【請求項３】
前記可動接点を、前記可動接点保持体の両端側に向かうようにそれぞれ設け、各可動接点に対応して前記固定接点を前記固定部に設けたことを特徴とする請求項１または２記載の電磁接触器。
【請求項４】
前記可動接点保持体を一方から他方へまたは他方から一方へ揺動させるときのみ前記ソレノイドを構成するコイルを励磁し、その揺動の終了後は、上記コイルを無励磁としたこと特徴とする請求項１から３のいずれか１項記載の電磁接触器。
【発明の詳細な説明】
【０００１】
【発明の属する技術分野】
本発明は、接点を切り替えたり、接点をオンオフさせたりする電磁接触器に関する。
【０００２】
【従来の技術】
従来からコイルを励磁することで接点を切り替えたり、オンオフさせたりする電磁接触器が良く知られている。このような電磁接触器の中で、瞬時励磁式機械保持形と呼ばれるものが存在している。瞬時励磁式機械保持形の電磁接触器の従来の構造の概要について、図３および図４に基づいて説明する。従来のこの形式の電磁接触器５１は、切替機構部５２と、主接点部５３と、補助接点部５４から構成されている。
【０００３】
切替機構部５２は、Ａ電源側投入用コイル６１と、Ｂ電源側投入用コイル６２と、Ａ電源側電源端子６３と、Ｂ電源側電源端子６４と、負荷側端子６５と、操作回路端子台６６と、２つの可動部シャフト６７，６７と、接点保持用板バネ６８，６９と、Ａ電源側自己切替可動補助接点７０と、Ｂ電源側自己切替可動補助接点７１とを有している。なお、２つの可動部シャフト６７，６７は、補助接点部５４まで伸びていると共に回転軸７２を中心として回動する。
【０００４】
主接点部５３は、切替機構部５２によってＡ電源側電源端子６３から負荷側端子６５との導通と、Ｂ電源側電源端子６４から負荷側端子６５との導通が交互にもたらされる機構部分である。この主接点部５３では、複数の主接点切替機構７３、図の例では３つの主接点切替機構７３，７３，７３が設けられている。
【０００５】
補助接点部５４は、補助接点７４を有しており、主接点部５２での各接点の切替と連動して他の補助的な機構を動作させるための接点の切替用として用いられるものである。この電磁接触器５１を使用する者が、必要により適宜この補助接点７４を使用することとなる。なお、可動部シャフト６７，６７は、装置の両側に設けられるシャフト保持体７５によって支持されている。
【０００６】
次に、以上のような構造を有する電磁接触器５１の瞬時励磁式による動作および機械保持形の動作についての概要をそれぞれ最初に説明し、その後に詳細な動作について説明する。
【０００７】
瞬時励磁式とは、切替時すなわち動作時のみ各投入用コイル６１，６２のいずれか一方を励磁し、切替終了後は、投入用コイル６１，６２を無励磁とする機構のことである。
【０００８】
具体的には、Ａ電源側投入用コイル６１およびＢ電源側投入用コイル６２は、切替機構部５２に内蔵されたそれぞれの投入用コイル６１，６２の励磁電流を遮断するために設けられている各自己切替可動補助接点７０，７１を経由して励磁される。Ａ電源側またはＢ電源側へ切替指令が入ると、Ａ電源側投入用コイル６１またはＢ電源側投入用コイル６２が励磁され切替動作が行われるが、切替動作が終了すると同時に可動部シャフト６７，６７の補助接点７４の押し動作と連動し、自己切替可動補助接点７０，７１を機械的にオフさせる。したがって、切替終了後は、各投入用コイル６１，６２の励磁電流は自己切替可動補助接点７０，７１により遮断され、無励磁となる。各投入用コイル６１，６２には、切替瞬時のみ電流が流れるだけであり、このことは常時の消費電力がなく経済的に有利であり、励磁音も無くなることとなる。
【０００９】
機械保持形とは、接点の投入状態を電気的にたとえばコイルの吸引力で保持するのではなく、機構部の板バネ６８，６９の力によって接点の投入状態を保持する機構のことである。
【００１０】
具体的には、切替信号が出ると自己切替可動補助接点７０，７１の一方を経由して投入用コイル６１，６２の一方が励磁される。たとえば、Ａ電源側投入用コイル６１が励磁されることにより可動部シャフト６７，６７が回転軸７２を中心として円弧状に運動する。この運動により、投入されている側、すなわち、Ｂ電源側の主接点は開極を始める。さらに動作が進み可動部がニュートラル点に達すると、各板バネ６８，６９は最大に圧縮され、デッドポイント（死点）が形成される。投入用コイル６１による動作する可動鉄芯がさらに吸引されデッドポイントを超えると、接点保持用板バネ６９の伸張力により可動部シャフト６７，６７は運動を続け、反対側の接点であるＡ電源側の主接点が投入される。
【００１１】
デッドポイントを超え反対側の主接点が投入される過程において、自己切替可動補助接点７０は、Ａ電源側投入用コイル６１への電流を遮断し、そのコイル６１は無励磁になる。動作終了後は、Ａ電源側の主接点部分、自動切替可動補助接点７１部分に共に適切な接触力を保持させているので、電源電圧の変動による接点の開離や接触圧力の変化はなく、接点の発熱等の心配も生じない。万一、制御回路電源に異常が発生して操作電源がなくなっても、主接点は、接点保持用板バネ６８，６９によって投入状態を保持するので、主回路電源の供給は継続される。また、手動操作ハンドル（図示省略）による切替も行えるようになっている。
【００１２】
次に、この電磁接触器５１の詳細な構造と動作について説明する。
【００１３】
切替機構部５２には、各投入用コイル６１，６２をそれぞれ有するＡ側、Ｂ側両方の投入用のソレノイド８１，８２が設けられている。このソレノイド８１，８２には、シャフト保持体７５と係合軸７６，７６によってそれぞれ係合する、Ａ電源側可動鉄芯８３とＢ電源側可動鉄芯８４が設けられている。図５（Ａ）は、Ｂ電源投入状態を示す。この状態よりＡ電源側への切替指令が出ると、Ａ電源側可動鉄芯８３が吸引され、連動して可動部シャフト６７，６７が回転軸７２を中心として円弧状に運動する。図５（Ｂ）は、Ｂ電源よりＡ電源への切替途中を示す。この時点がデッドポイントとなる。図５（Ｃ）は、Ａ電源投入状態（切替終了）を示す。この後、Ｂ電源側への切替指令が出ると、図５（Ｃ）から図５（Ｂ）へ移行し、さらに図５（Ａ）へ移行し切替が終了する。このような動作を切替指令が出るたびに繰り返すこととなる。
【００１４】
この電磁接触器５１の各自己切替可動補助接点７０，７１の動作は、次のとおりとなる。すなわち、図６（Ａ）は、Ｂ電源投入状態でありＡ電源側へ動作待機状態となっている。この状態では、Ａ電源側自己切替可動補助接点７０がＡ電源側自己切替固定補助接点８５に接触し、Ｂ電源側自己切替可動接点７１がＢ電源側自己切替固定接点８６に対し非接触となっている。図６（Ｂ）は、Ｂ電源よりＡ電源へ切替途中のデッドポイント通過時点であり、Ａ電源側自己切替補助接点７０はまだ切れていない。
【００１５】
図６（Ｃ）は、Ａ電源投入状態（切替終了）であり、Ａ電源側自己切替可動補助接点７０は、Ａ電源側投入用コイル６１に流れる電流を遮断している。それと同時にＢ電源側自己切替可動補助接点７１は、Ｂ電源側自己切替固定補助接点８６に接触し、Ｂ電源側へ切替の待機状態を作り出している。この後、Ｂ電源側への切替指令が出ると、図６（Ｃ）から図６（Ｂ）へ移行し、さらに図６（Ａ）へ移行し切替が終了する。
【００１６】
なお、各自己切替可動補助接点７０，７１は、補助接点７４，７４を支える補助接点支点８７を支持すると共に、揺動する揺動体８８の動きと連動する。また、この揺動体８８は、可動部シャフト６７，６７の動きに連動している。
【００１７】
主接点部５３内の各主接点切替機構７３の動作は、次のとおりとなっている。すなわち、図７（Ａ）（Ｂ）（Ｃ）に示す各状態を、（Ａ）→（Ｂ）→（Ｃ）→（Ｂ）→（Ａ）のように繰り返す。図７（Ａ）は、Ｂ電源投入状態を示す。電源は、Ｂ電源側電源端子６４よりＢ電源側接点用固定接点９１、Ｂ電源側主接点用可動接点９２、リード線９３を経由して負荷側端子６５に通電されている。図７（Ｂ）は、Ｂ電源よりＡ電源への切替途中を示す。この時点でＢ電源側の主回路電流はほぼ遮断を終了する。
【００１８】
図７（Ｃ）は、Ａ電流投入状態（切替終了）を示す。電源は、Ａ電源側電源端子６３およびＡ電源側主接点用固定接点９４を介して、Ａ電源側主接点用可動接点９５、リード線９３を経由して負荷側端子６５に通電されている。主接点部５３は、両板バネ６８，６９の力により適切な接触力を与えられ、投入状態を維持している。
【００１９】
なお、Ａ電源側主接点用可動接点９５の先端には、Ａ電源側アーキング接点９６が、Ｂ電源側主接点用可動接点９２の先端には、Ｂ電源側アーキング接点９７が設けられている。また、可動部シャフト６７，６７と両主接点用可動接点９２，９５との間には、主接点用圧縮バネ９８，９８が設けられ、各主接点切替機構７３中には接点のオンオフ時のアークを消却するための複数の消弧室グリッド板９９が設けられている。
【００２０】
【発明が解決しようとする課題】
従来の電磁接触器５１は、接点保持用板バネ６８，６９が側方に出っ張る形状となり、小型化しにくいものとなっている。また、デッドポイントは、２つの接点保持用板バネ６８，６９と、可動部シャフト６７，６７を保持するシャフト保持体７５の３つの部材が水平となる点であり、このデッドポイントの位置合わせが困難となっている。
【００２１】
また、各可動鉄芯８３，８４と、可動部シャフト６７，６７を保持するシャフト保持体７５とは、係合軸７６によって係合しており、この係合軸７６の摩擦、係合軸７６が入り込む長形の孔の摩耗が生じ、デッドポイントの位置が変化する問題が生じている。また、各可動鉄芯８３，８４の案内孔は、各可動鉄芯８３，８４より大径にする必要があり、がた発生やソレノイド８１，８２の大型化につながっている。
【００２２】
また、従来の各可動接点９２，９５を保持する構造は、各固定接点９１，９４からの圧力に対して弱いものとなっており、その圧力吸収のために主接点用圧縮バネ９８，９８が必要となっている。この主接点用圧縮バネ９８，９８によって各可動接点９２，９５は、元の位置に戻されるが、この戻り動作を含む多数回の動作によって、各可動接点９２，９５の固定位置がゆるみ、固定接点との安定した接触が得られなくなるという危険性も有している。
【００２３】
本発明は、上述の問題点を解決するためになされたものであり、小型化しやすくしかもデッドポイントの調整がしやすい電磁接触器を提供することを目的とする。さらに、他の発明は、デッドポイントの位置変化が生じにくく、がた発生やソレノイドの大型化につながることのない電磁接触器を提供することを目的とする。また、他の発明は、可動接点が十分な強度を持ち、安定した接触を行い得る電磁接触器を提供することを目的とする。
【００２４】
【課題を解決するための手段】
上述の目的を達成するため、本発明の電磁接触器は、固定部と、この固定部に取り付けられ、コイルをそれぞれ有する２つのソレノイドと、各コイルの中央空間に配置され各ソレノイドによって駆動される２つの可動鉄芯と、支持部を介して固定部に取り付けられ、可動鉄芯の交互の押し上げまたは引っ張り動作によって揺動する可動接点保持体と、この可動接点保持体の少なくとも一端側に配置される可動接点と、電源端子に接続され、可動接点に対向し、可動接点が接離する固定接点とを有する電磁接触器において、可動接点保持体を断面Ｔ字形とし、そのＴ字を構成する各線の交点部分もしくはその近傍を可動接点保持体の揺動支点とし、Ｔ字の下方に突き出た先端部分に板バネの一端を突き当て、その先端部分と共に揺動可能とし、板バネの他端を固定部に位置保持されるように突き当て、可動接点と固定接点とが接触した位置と、両接点が非接触となる位置の２位置を板バネによって交互に保持させるようにしている。
【００２５】
このように、可動接点保持体を断面Ｔ字形とし、そのＴ字を構成する各線の交点部分もしくはその近傍を可動接点保持体の揺動支点としているので、揺動角度は大きいがその揺動範囲を小さなものとでき、小型化させやすいものとなる。また、板バネと可動接点保持体の下方に突き出た部分の２部材で、可動接点保持体を揺動させると共にデッドポイントを形成しているので、従来のような左右の板バネによる出っ張りが生ぜず、小型化が可能となり、デッドポイントも調整しやすいものとなる。
【００２６】
さらに、他の発明は、上述の発明の電磁接触器に加え、揺動支点と、板バネの固定部に位置保持される他端が接する部分との間の長さを、ソレノイドの高さにそのソレノイドによって動作する可動鉄芯の動作方向において上記可動鉄芯が前記ソレノイドから突出する部分を加えた長さより短くしている。このため、電磁接触器としての高さも低くなり、一層小型化させることができる。
以上
【００２７】
また、他の発明の電磁接触器は、２つのソレノイドと、各ソレノイドによって駆動される２つの可動鉄芯と、可動鉄芯の交互の押し上げまたは引っ張り動作によって揺動する可動接点保持体と、この可動接点保持体の少なくとも一端側に配置される可動接点と、この可動接点に対向し、可動接点が接離する固定接点とを有する電磁接触器において、可動接点保持体を断面Ｔ字形とし、そのＴ字を構成する各線の交点部分もしくはその近傍を可動接点保持体の揺動支点とし、ソレノイドを、円筒形のコイルと、そのコイルの中央空間に配置される固定鉄芯と、コイルの中央空間に配置されると共に固定鉄芯と対向しこの固定鉄芯に吸引される可動鉄芯と、この可動鉄芯に固定され固定鉄芯の中心孔を貫通し、可動接点保持体のＴ字形の両端の一方に接離する動作棒と、固定鉄芯から可動鉄芯を離す方向に付勢するコイルバネとから構成している。
【００２８】
このように、可動接点保持体を断面Ｔ字形とし、そのＴ字を構成する各線の交点部分もしくはその近傍を可動接点保持体の揺動支点としているので、揺動角度は大きいがその揺動範囲を小さなものとでき、小型化させやすいものとなる。また、板バネと可動接点保持体の下方に突き出た部分の２部材で、可動接点保持体を揺動させると共にデッドポイントを形成しているので、従来のような左右の板バネによる出っ張りが生ぜず、小型化が可能となり、デッドポイントも調整しやすいものとなる。また、ソレノイドを上述のように構成したので、デッドポイントの位置変化が生じにくくなり、また摩耗が減少し、がた発生が生じにくくなる。さらに、可動鉄芯が入るコイルの中央孔を小さくできるので、ソレノイドが大型化しなくなる。
【００２９】
また、他の発明の電磁接触器は、２つのソレノイドと、各ソレノイドによって駆動される２つの可動鉄芯と、可動鉄芯の交互の押し上げまたは引っ張り動作によって揺動する可動接点保持体と、この可動接点保持体の少なくとも一端側に配置される可動接点と、この可動接点に対向し、可動接点が接離する固定接点とを有する電磁接触器において、可動接点を、基端が可動接点保持体にねじで係止され、先端に接点を有する金属板からなる接片と、接点とから構成し、ねじの頭部が係合する凹部と可動接点の中央部分が接離可能となる保持部とを有する可動接点位置決め手段を可動接点保持体に設け、固定接点に可動接点が接触したときに、可動接点位置決め手段から可動接点が離れ、可動接点が固定接点から離れたときには可動接点位置決め手段に可動接点が当接するようにしている。
【００３０】
このように構成すると、可動接点の根元部分がねじとそのねじの先端が係合する可動接点位置決め手段によって強く保持され可動接点が十分な強度を持つようになる。このため、可動接点と固定接点との間の接触が安定化することとなる。
【００３１】
さらに、他の発明は上述の各発明に加え、可動接点を、可動接点保持体の両端側に向かうようにそれぞれ設け、各可動接点に対応して固定接点を固定部に設けている。
【００３２】
このように構成することで接点の切替が可能となり、商用電源と自家発電の電源との切り替えや商用電源とバックアップ電源との切り替え等を行うことが可能となる。
【００３３】
加えて、他の発明は、上述の各発明の電磁接触器に加え、可動接点保持体を一方から他方へまたは他方から一方へ揺動させるときのみソレノイドを構成するコイルを励磁し、その揺動の終了後は、コイルを無励磁としている。
【００３４】
このように構成すると、いわゆる瞬時励磁が可能となり、コイルには可動接点保持体の揺動時のみ電流が流れることとなる。このため、常時の消費電力が不要となり、経済的に有利なものとなり、励磁音も生じなくなる。
【００３５】
【発明の実施の形態】
以下、本発明の実施の形態の電磁接触器１について、図１および図２に基づいて説明する。なお、この電磁接触器１は、先に説明した従来の電磁接触器５１と同様に、瞬時励磁式機械保持形の電磁接触器となっている。また、この電磁接触器１は、商用電源と非常用電源を切り替える場合に使用される機器で、非常用電源としては、自家発電による電源、バックアップ用の蓄電池電源等が採用される。
【００３６】
本電磁接触器１は、従来の電磁接触器５１と同様に、切替機構部と、主接点部と、補助接点部から構成されていると共に、各部分の機能、構成は基本的に電磁接触器５１と同様となっている。このため、以下では相違点を主として説明し、同一部分の説明を省略または簡略化するものとする。また、電磁接触器５１と同一部材には、同一符号を付すものとする。
【００３７】
切替機構部は、円筒形のＡ電源側投入用コイル６１と、円筒形のＢ電源側投入用コイル６２と、Ａ電源側電源端子６３と、Ｂ電源側電源端子６４と、負荷側端子６５と、操作回路端子台（図示省略）と、１つの可動部シャフト６７と、１つの接点保持用の板バネ２と、Ａ電源側自己切替可動補助接点（図示省略）と、Ｂ電源側自己切替可動補助接点（図示省略）と、を有している。
【００３８】
切替機構部は、さらにＡ電源側投入用コイル６１を有するＡ電源側ソレノイド３と、Ｂ電源側投入用コイル６２を有するＢ電源側ソレノイド４とを有している。Ａ電源側ソレノイド３は、固定部となるケース５と、Ａ電源側投入用コイル６１の中央空間に配置されケース５に固定された固定鉄芯６と、そのコイル６１の中央空間に配置されると共に固定鉄芯６と対向しコイル励磁時に固定鉄芯６に吸引される可動鉄芯７と、この可動鉄芯７に固定され固定鉄芯６の中心孔８を貫通する動作棒９と、固定鉄芯６と可動鉄芯７との間に挟み込まれ可動鉄芯７を固定鉄芯６から離す方向に付勢するコイルバネ１０とを有する。
【００３９】
Ｂ電源側ソレノイド４もＡ電源側ソレノイド３と同様な構成となっており、固定鉄芯６と、可動鉄芯７と、固定鉄芯６の中心孔８を貫通する動作棒９と、コイルバネ１０とを有する。
【００４０】
なお、可動部シャフト６７は、補助接点部まで伸びていると共に回転軸７２を中心として回動する。可動部シャフト６７は、両端に配置されるシャフト保持体７５によって保持されている。シャフト保持体７５と可動部シャフト６７とは、支持部１１によって一体的に揺動可能に支持されている。
【００４１】
接点保持用の板バネ２は、２枚の板バネ材２ａ，２ａからなり、互いに反対方向に円弧状に撓むことで付勢力を発生するものとなっている。板バネ２の一端は、シャフト保持体７５でかつ後述する可動接点の保持手段となる可動接点保持体の軸部１２の先端の三角状凹部１３の中心に突き当たり、他端が取付板１３に固定された支持基板１４の三角状凹部１５の中心に位置保持可能に突き当てられている。なお、取付板１３と支持基板１４は、共に固定部となる。
【００４２】
シャフト保持体７５は、図１に示されるように断面Ｔ字形で、そのＴ字を構成する各線の交点部分近傍に回転軸７２が設けられ、この回転軸７２を揺動支点として揺動可能とされている。図１に示される状態は、Ｂ電源投入状態でＢ電源が負荷に投入されている状態を示すが、このときが一方側へ最も揺動した状態となる。図１の状態から、Ａ電源側への切替へ指令が出ると、シャフト保持体７５は、回転軸７２を中心として揺動し、図１の状態とは線対称位置となる。その切り替わりの中間位置、すなわち、板バネ２が図１で垂直となるときに板バネ２は最も撓むこととなる。なお、回転軸７２をＴ字を構成する各線の交点部分に設けるようにしても良い。
【００４３】
固定鉄芯６には、中心孔８を構成する、小径の小径中心孔２１と中径の中径中心孔２２とが設けられている。また、可動鉄芯７には、固定鉄芯６の中径中心孔２２と同径の中径中心孔２３と、ねじ孔２４と、大径の大径中心孔２５とが設けられている。両中径中心孔２２，２３内にコイルバネ１０が挿入されている。なお、回転軸７２の中心と、板バネ２の三角状凹部１５側の端部がこの三角状凹部１５に接する部分との間の長さＬ１を、ソレノイド３，４の高さに可動鉄芯７と動作棒９のソレノイド３，４の本体から突出する部分を加えた長さＬ２より短くしている。
【００４４】
動作棒９とコイルバネ１０の組み込みは、次のように行う。
【００４５】
まず、固定鉄芯６をケース５に固定する。次に、動作棒９の先端のねじ部９ａを中心孔８を貫通するように挿通する。その後、コイルバネ１０を動作棒９のねじ部９ａ側から差し込み中径孔２２に一部が入るように入れ込む。次に、可動鉄芯７と動作棒９を相対回転させ、ねじ孔２４とねじ部９ａをねじ係合させる。最後に、ナット２６をワッシャ等を介してねじ部９ａにねじ係合させる。ナット２６は、大径中心孔２５内に完全に入り込む。
【００４６】
自己切替可動補助接点と自己切替固定補助接点は、共に図示していないが、先の電磁接触器５１と同様な構造を有し、同様な機能と動作を行うものとなっている。
【００４７】
主接点部は、切替機構部によってＡ電源側電源端子６３から負荷側端子６５との導通と、Ｂ電源側電源端子６４から負荷側端子６５との導通が交互にもたらされる機構部分である。この主接点部では、複数の主接点切替機構、この実施の形態では３つの主接点切替機構が設けられている。
【００４８】
主接点切替機構は、各端子６３，６４，６５の他に、Ｂ電源側主接点用固定接点９１と、Ｂ電源側主接点用可動接点９２と、リード線９３と、Ａ電源側主接点用固定接点９４と、Ａ電源側主接点用可動接点９５と、消弧室グリッド板９９と、可動接点位置決め手段３１とを有している。
【００４９】
各可動接点９２，９５は、金属板からなる接片３２と、この接片３２の先端に固定された接点３３とからなり、接片３２の基部が可動接点保持体となるシャフト保持体７５にねじ３４によって係止されている。この係止は、ねじ３４の大径の頭部３５とリード線９３が接続される係止端子部３６とで、各可動接点９２，９５の各接片３２の基部を挟み込み、係止端子部３６を貫通したねじ３４の先端にナット３７を係合させることで行う。なお、接点３３は、耐アーク性の高い銀合金を使用すると共に、切替動作のとき、固定接点９１，９４と可動接点９２，９５の各当接部分がスライド接触する構成となっている。
【００５０】
可動接点位置決め手段３１とシャフト保持体７５のバネ係止部３８との間に、固定の接点バネ保持棒３９が配置されている。そして、各バネ係止部３８と各接片３２との間で、かつ接点バネ保持棒３９が挿通するように接点バネ４０ａ,４０ｂが設置されている。
【００５１】
可動接点位置決め手段３１は、シフト保持体７５に固定され、各可動接点９２，９５を固定するねじ３４の頭部３５が係合する（填り込む）凹部４１と、各可動接点９２，９５の各接片３２の中央部分が接離可能となる保持部４２と、接点バネ保持棒３９が挿通する貫通孔４３とを有する。
【００５２】
図２に示すように、Ｂ電源投入状態では、すなわちＢ電源側主接点用固定接点９１にＢ電源側主接点用可動接点９２が強く接触しているときには、接点バネ４０ａが圧縮され、これによって可動接点位置決め手段３１の保持部４２からこの可動接点９２が離れている。一方、Ａ電源側主接点用可動接点９５がＡ電源側主接点用固定接点９４から離れたときは、接点バネ４０ｂの付勢力によって可動接点位置決め手段３１の保持部４２にこの可動接点９５が当接することとなる。各可動接点９２，９５と可動接点位置決め手段３１，３１との接離は、シャフト保持体７５の揺動によって交互にかつＡ電源側とＢ電源側とが逆の関係となるように行われる。
【００５３】
補助接点部（図示省略）は、簡易防塵構造とされ、かつ双子接点構造で接触信頼性の高い構造となっていると共に、その全体構造は、先の電磁接触器５１と略同様となっている。
【００５４】
以上のように構成される電磁接触器１の動作は、先の電磁接触器５１と同様に切り替え指令が発生する度に、Ｂ電源投入状態からＡ電源投入状態へ、Ａ電源投入状態からＢ電源投入状態へと、交互に切り替わる。この電磁接触器１は、瞬時励磁式となっているため、各コイル６１，６２には、切替時の瞬時のみ電流が流れることとなり、消費電力が殆ど生じず経済的に有利であり、励磁し続けたときの励磁音も発生しない。
【００５５】
この電磁接触器１は、また機械保持形なので、接点の投入状態を電気的に保持するのではなく、板バネ２の力によって保持することとなり、電源電圧の変動による接点の開離や接触圧力の変化は生じない。また、接点の発熱も生じない。なお、切替のための制御回路電源に異常が発生して操作電源がなくなっても、主接点は、いずれか一方の電源に対して投入状態を保持するので、主回路電源への電力供給は維持される。
【００５６】
また、切替のための制御回路電源に異常が生じ、切替が自動的に行えないときは、手動操作ハンドル４５をシャフト保持体７５のハンドル受けとなる突出部４６にはめ込んで力を図１の矢示方向に加えることで手動にて切替が可能となる。なお、この手動操作ハンドル４５を利用するときは、安全上、操作電源と主回路電源（Ａ電源、Ｂ電源）を事前に、切っておく必要がある。
【００５７】
上述の実施の形態は、本発明の好適な実施の形態の例を示すものであるが、本発明の要旨を逸脱しない範囲で種々変更可能である。たとえば、２つの電源を切り替えるものではなく、単に１つの接点をオンオフさせる電磁接触器としても良い。
【００５８】
また、動作棒９によって可動接片保持体であるシャフト保持体７５を交互に押し上げる機構とするのではなく、図３から図７に示したような可動接片保持体を交互に引き下げる機構としても良い。さらに、押し上げ機構としたとき、シャフト保持体７５と各動作棒９，９とを分離させずに長孔などを利用してゆるやかに結合させるようにしても良い。
【００５９】
また、上述の実施の形態では、板バネ２と軸部１２の可動領域を、より大きくし、かつ全体幅Ｗを小さくするため、ソレノイド３，４の側方（図１では背後）に配置しているが、板バネ２と軸部１２とを両ソレノイド３，４の間に挟まれるように配置しても良い。この場合、全体幅Ｗは若干大きくなるが、両ソレノイド３，４で挟まれるスペースの有効活用となり、長さ方向の小型化の面で有利となる。さらに、板バネ２を一方の板バネ部材２ａのみで構成したり、１枚板のものを折り曲げて構成しても良い。また、板バネ２の代わりに、圧縮コイルバネや強い弾性を有するゴム等としても良い。
【００６０】
この電磁接触器１では、２つの電源が負荷に対して同時に加わるオーバーラップ期間が発生しないようにしているが、わずかでも電源が断たれてしまうことを防止するため、各接点の配置を工夫することで、オーバーラップ期間を設けるようにすることもできる。
【００６１】
また、電磁接触器１の使用例としては、上述した他に、携帯電話の基地局等における通常状態時の直流電源（この電源は交流電源から直流に変換されている）と非常用のバックアップ用バッテリとの切替、自家発電用の電源から商用電源への切替、非常用電源同士間の切替等が挙げられる。
【００６２】
【発明の効果】
本発明では、小型化しやすくしかもデッドポイントの調整がしやすい電磁接触器を得ることができる。さらに、他の発明では、デッドポイントの位置変化が生じにくく、がた発生やソレノイドの大型化につながることのない電磁接触器を得ることができる。また、他の発明では、可動接点が十分な強度を持ち、可動接点と固定接点との間の接触が安定することによって、オンオフ動作が安定する電磁接触器を得ることができる。
【図面の簡単な説明】
【図１】本発明の実施の形態を示す電磁接触器の切替機構部中のソレノイド部分における断面図である。
【図２】図１の電磁接触器の主接点部の断面図で、各接点およびその周辺のみを斜線で示した図である。
【図３】従来の電磁接触器の平面図である。
【図４】図３の電磁接触器の右側面図である。
【図５】図３の電磁接触器の切替機構部中のソレノイド部分における断面図で、（Ａ）はＢ電源投入状態を示し、（Ｂ）は切替動作途中を示し、（Ｃ）はＡ電源投入状態を示す図である。
【図６】図３の電磁接触器の切替機構部中の自己切替補助接点の動作を示す図で、（Ａ）はＢ電源投入状態を示し、（Ｂ）は切替動作途中を示し、（Ｃ）はＡ電源投入状態を示す図である。
【図７】図３の電磁接触器の主接点部の断面図で、（Ａ）はＢ電源投入状態を示し、（Ｂ）は切替動作途中を示し、（Ｃ）はＡ電源投入状態を示す図である。
【符号の説明】
１  電磁接触器
２  板バネ
３  Ａ電源側ソレノイド
４  Ｂ電源側ソレノイド
５  ケース
６  固定鉄芯
７  可動鉄芯
８  中心孔
９  動作棒
１０  コイルバネ
１３  取付板（固定部）
１４  支持基板（固定部）
３１  可動接点位置決め手段
３２  接片
３３  接点
３４  ねじ
３５  ねじの頭部
４１  凹部
４２  保持部
６１  Ａ電源側投入用コイル（コイル）
６２  Ｂ電源側投入用コイル（コイル）
７２  回転軸（揺動支点）
７５  シャフト保持体（可動接点保持体）
９１  Ｂ電源側主接点用固定接点（固定接点）
９２  Ｂ電源側主接点用可動接点（可動接点）
９４  Ａ電源側主接点用固定接点（固定接点）
９５  Ａ電源側主接点用可動接点（可動接点）
【図１】
0004430206.tif 000002
【図２】
0004430206.tif 000003
【図３】
0004430206.tif 000004
【図４】
0004430206.tif 000005
【図５】
0004430206.tif 000006
【図６】
0004430206.tif 000007
【図７】
0004430206.tif 000008